(57)【要約】      （修正有） 【課題】ビニールトンネル等の栽培空間を形成するに際し、そのフレームを構成する支柱に被せた樹脂シートを安全に固定できると共に、栽培空間の内部を換気するに際して、たくし上げシート部分を保持し得る農園芸用のシート止着具を提供する。【解決手段】上下一対の止着部材１０，１１の内端相互を突状連結片１５で連結する。止着部材１０，１１は、開口部が弾性的に拡開し得る筒状を呈した筒状挾持部１６を有する。筒状挾持部１６の左右両側部に設けた摘み片を内向きに摘むことにより開口部を弾性的に拡開できる。上下の筒状挾持部１６，１６がビニールトンネルの支柱６を挾持した状態で、突状連結片１５と支柱６との間に形成される収容空間部３１に、ビニールトンネルの裾部分のたくし上げシート部分９を収容状態に保持して、ビニールトンネルに換気口５３を形成する。【選択図】図３
0003167867.tif 000002
【実用新案登録請求の範囲】
【請求項１】
農園芸用の栽培空間を形成するフレームを構成する支柱に被せた樹脂シートを該支柱に固定できる共に、該樹脂シートの裾部分をたくし上げた状態でたくし上げシート部分を保持し得る農園芸用のシート止着具であって、上下一対の止着部材の内端相互が、後方向に突に屈曲されて凹部を有する可撓性の突状連結片で連結されてなり、該止着部材は、前記樹脂シートを介在させて前記支柱を弾性的に挾持し得る筒状挾持部を具え、該筒状挾持部は、その前端周面部が、該筒状挾持部の中心を通る軸線方向に開口し且つ開口部が弾性的に拡開し得る筒状を呈し、該筒状挾持部の該開口部の左右両側部に、後方に向けて摘み片が突設されており、両摘み片を内向きに摘むことにより前記開口部を弾性的に拡開でき、又、上下の筒状挾持部が前記支柱を挾持した状態で前記突状連結片の前記凹部と前記支柱との間に形成される収容空間部に、前記たくし上げシート部分を収容状態に保持可能となされていることを特徴とする農園芸用のシート止着具。
【請求項２】
前記突状連結片は、左右方向に偏平な平板を後方向に突の半円弧状に屈曲して形成されると共に、該突状連結片の端部が、その幅方向を前記筒状挾持部の両摘み片間の幅方向に合致させて該筒状挾持部の内端に連結されており、又該筒状挾持部の、前記開口部の両側をなす側面部分の内端側の縁を傾斜縁として形成したことを特徴とする請求項１記載の農園芸用のシート止着具。
【請求項３】
上の止着部材は、両摘み片の上端に、前記筒状挾持部が前記支柱を挾持した状態において前記支柱から離れる方向に斜め上方に突出する角状突出片が設けられ、前記筒状挾持部が前記支柱を挾持した状態で、前記たくし上げシート部分を、該角状突出片と前記支柱との間に形成された受部で下方から支持した状態に保持できることを特徴とする請求項１又は２記載の農園芸用のシート止着具。
【請求項４】
前記角状突出片は、柔軟性を有する四分割円弧状に形成されていることを特徴とする請求項３記載の農園芸用のシート止着具。
【請求項５】
前記突状連結片は、後方向に突に屈曲された２本の独立した線状連結片を以ってなり、一方の線状連結片の両端部が、上下に位置する左右何れか一側の摘み片の内端に連結されると共に、他方の線状連結片の両端部が、上下に位置する他側の摘み片の内端に連結されることを特徴とする請求項１、２又は３記載の農園芸用のシート止着具。
【請求項６】
前記突状連結片は、両端部分が二股に分岐した状態に形成されると共に該突状連結片の長さ方向の中央部分は板状部として形成されており、分岐片の先端部が上下一対の止着部材の両摘み片の夫々の内端に連結されていることを特徴とする請求項１、２又は３記載の農園芸用のシート止着具。
【請求項７】
前記板状部の両端側部分は、該板状部の内方に凹の湾曲縁として形成されており、該湾曲縁の両端に前記分岐片の基端が連結されていることを特徴とする請求項６記載の農園芸用のシート止着具。
【考案の詳細な説明】
【技術分野】
【０００１】
本考案は農園芸用のシート止着具に関するものである。より詳しくは、フレームに樹脂シートを被せてなるビニールトンネルやビニールハウス等の農園芸用の栽培空間を形成するに際して、該フレームを構成する支柱に被せた樹脂シートを該支柱に安全に固定できると共に、該栽培空間の内部を換気するに際して、該樹脂シートをたくし上げそのたくし上げ部分を保持し得る農園芸用のシート止着具に関するものである。
【背景技術】
【０００２】
例えば図３３に示すような、アーチ状に屈曲した支柱ｐを所要間隔を隔てて並設することによって構成したトンネル状のフレームａにビニールシート等の樹脂シートｂを被せてビニールトンネルｃ１やビニールハウス等の農園芸用の栽培空間ｃを形成するに際し、該栽培空間ｃ内の換気を行い得るようにする目的で、該樹脂シートｂの裾部分ｄをたくし上げそのたくし上げシート部分ｅを保持し得るように構成された農園芸用のシート止着具ｆの一例としては、実開昭６３−１５８１５２号公報や特開平１−４３１４１号公報が開示するような、図３４〜３５に示す構成のものが提案されている。
【０００３】
該シート止着具ｆは全体が樹脂で一体成形されており、上下の止着部材ｇ，ｈの内端ｊ，ｊ相互が、前記たくし上げシート部分ｅを収納させ得るように円弧状に屈曲された可撓性を有する円弧状連結片ｋで連結した構成を有している。そして該上下の止着部材ｇ，ｈは、縦方向に開口部ｍを有する断面Ｃ字状を呈する可撓性を有した筒状挾持部ｎを有しており、下の筒状挾持部ｎ１の外端部には該筒状挾持部ｎを支柱ｐと分離しやすくするためのハンドルｑが設けられていた。
【０００４】
そして、かかるシート止着具ｆを用いて、前記支柱ｐに前記樹脂シートｂを固定するに際しては、図３３、図３５〜３６に示すように、アーチ状に屈曲した前記支柱ｐの支柱側部分ｒにおいて、前記樹脂シートｂで包まれた該支柱側部分ｒを、前記開口部ｍを無理矢理に弾性拡開させて前記上下の筒状挾持部ｎ，ｎの内部空所ｓ，ｓに嵌め入れる。これにより、該上下の筒状挾持部ｎ，ｎが該支柱側部分ｒに固定され、従って前記樹脂シートｂが支柱ｐに固定された状態となる。
【０００５】
栽培空間ｄの内部を換気するに際しては、前記樹脂シートｂの裾部分ｄをたくし上げその状態をシート止着具ｆに保持させるのであるが、その作業要領は次のようである。即ち、図３７に示すように、前記ハンドルｑを手で持ち上げて前記下の止着部材ｈの筒状挾持部ｎを支柱ｐから一旦取り外し、前記樹脂シートｂの裾部分ｄをたくし上げてそのたくし上げシート部分ｅを、前記円弧状連結片ｋと前記支柱側部分ｒとの間に形成される収容空間部ｖにまとめるようにして収容する。その後、前記筒状挾持部ｎの内部空所ｓに前記支柱側部分ｒを、図３８に示すように、前記開口部ｍを無理矢理に弾性拡開させて嵌め入れ、これにより、該下の筒状挾持部ｎを該支柱側部分ｒに取り付ける。これにより、図３３に示すように、ビニールトンネルｃ１の側面部分に換気口ｗを形成できることになる。
【０００６】
換気が終了した後は、前記ハンドルｑを図３７に示すと同様にして引き起こし、前記筒状挾持部ｎを支柱ｐから取り外す。その後、前記たくし上げシート部分ｅを下に延ばし、図３６に示すように、樹脂シートｂを介在させて前記支柱側部分ｒを前記筒状挾持部ｎの内部空所ｓに嵌め入れる。これにより、裾部分ｄが支柱ｐに再び固定されることになる。  
【０００７】
かかる構成を有する従来の農園芸用のシート止着具ｆによるときは、このように、樹脂シートｂを支柱ｐに固定できると共に、栽培空間ｄの内部を換気する必要があるときは換気口ｗを形成できる利点はあった。
【０００８】
しかしながら、前記筒状挾持部ｎを樹脂シートｂを介在させて支柱ｐに固定する際や固定状態にある下の筒状挾持部ｎを前記ハンドルｑの引き起し操作によって支柱ｐから取り外すことになるのであるが、前記のようにハンドルｑを引き起こして筒状挾持部ｎを支柱ｐから取り外すことは必ずしも容易ではなかった。そして、該筒状挾持部ｎの支柱ｐに対する無理矢理の着脱が繰り返される内に、前記樹脂シートｂが擦られて破れる等、損傷を受けやすい問題があった。ときには、１回の着脱で樹脂シートが破れる等の損傷を受けることもあった。
【先行技術文献】
【特許文献】
【０００９】
【特許文献１】実開昭６３−１５８１５２号公報
【特許文献２】特開平１−４３１４１号公報
【考案の開示】
【考案が解決しようとする課題】
【００１０】
本考案は前記従来の問題点に鑑みて開発されたものであり、フレームに樹脂シートを被せてなるビニールトンネルやビニールハウス等の農園芸用の栽培空間を形成するに際し、樹脂シートを損傷することなく前記筒状挾持部の着脱を容易且つ確実に行うことができると共に、栽培空間の換気を行うに際しては、前記樹脂シートの裾部分をたくし上げてそのたくし上げシート部分を収容状態で確実に保持し得る農園芸用のシート止着具の提供を課題とするものである。
【００１１】
本考案は進んで、前記たくし上げシート部分を下方から安定的に支持する機能を具えた農園芸用のシート止着具の提供を課題とするものである。
【００１２】
本考案は更に進んで、前記筒状挾持部の開閉をより容易且つ確実に行い得る農園芸用のシート止着具の提供を課題とするものである。
【課題を解決するための手段】
【００１３】
前記課題を解決するため本考案は以下の手段を採用する。
即ち本考案に係る農園芸用のシート止着具は、農園芸用の栽培空間を形成するフレームを構成する支柱に被せた樹脂シートを該支柱に固定できる共に、該樹脂シートの裾部分をたくし上げた状態でたくし上げシート部分を保持し得る農園芸用のシート止着具であって、上下一対の止着部材の内端相互が、後方向に突に屈曲されて凹部を有する可撓性の突状連結片で連結されてなり、該止着部材は、前記樹脂シートを介在させて前記支柱を弾性的に挾持し得る筒状挾持部を具える。該筒状挾持部は、その前端周面部が、該筒状挾持部の中心を通る軸線方向に開口し且つ開口部が弾性的に拡開し得る筒状を呈し、該筒状挾持部の該開口部の左右両側部に、後方に向けて摘み片が突設されており、両摘み片を内向きに摘むことにより前記開口部を弾性的に拡開できる。又、上下の筒状挾持部が前記支柱を挾持した状態で前記突状連結片の前記凹部と前記支柱との間に形成される収容空間部に、前記たくし上げシート部分を収容状態に保持可能となされていることを特徴とするものである。
【００１４】
前記農園芸用のシート止着具において、前記突状連結片は、左右方向に偏平な平板を後方向に突の半円弧状に屈曲して形成すると共に、該突状連結片の端部が、その幅方向を前記筒状挾持部の両摘み片間の幅方向に合致させて該筒状挾持部の内端に連結されたものとし、又該筒状挾持部の、前記開口部の両側をなす側面部分の内端側の縁を傾斜縁として形成するのがよい。
【００１５】
前記農園芸用のシート止着具において、上の止着部材は、両摘み片の上端に、前記筒状挾持部が前記支柱を挾持した状態において前記支柱から離れる方向に斜め上方に突出する角状突出片が設けられたものとし、前記筒状挾持部が前記支柱を挾持した状態で、前記たくし上げシート部分を、該角状突出片と前記支柱との間に形成された受部で下方から支持できるように構成するのがよい。この場合、前記角状突出片は、柔軟性を有する四分割円弧状に形成するのがよい。
【００１６】
又、前記各農園芸用のシート止着具において、前記突状連結片は、後方向に突に屈曲された２本の独立した線状連結片を以って構成し、一方の線状連結片の両端部を、上下に位置する左右何れか一側の摘み片の内端に連結すると共に、他方の線状連結片の両端部を、上下に位置する他側の摘み片の内端に連結するのがよい。
【００１７】
又、前記前記農園芸用のシート止着具において、前記突状連結片は、両端部分を、二股に分岐した状態に形成すると共に該突状連結片の長さ方向の中央部分を板状部として形成し、分岐片の先端部を、上下一対の止着部材の両摘み片の夫々の内端に連結するのがよい。この場合、該板状部を有する前記突状連結片において、該板状部の両端側部分を、該板状部の内方に凹の湾曲縁として形成し、該湾曲縁の両端に前記分岐片の基端を連結するのがよい。
【考案の効果】
【００１８】
本考案は以下の如き優れた効果を奏する。
(1) 本考案に係るシート止着具は、前記支柱を弾性的に挾持し得る筒状挾持部を、その前端周面部が、該筒状挾持部の中心を通る軸線方向に開口し且つ開口部が弾性的に拡開し得る筒状を呈するものとし、且つ、該筒状挾持部の該開口部の左右両側部に、後方に向けて摘み片を突設した構成を有している。
従って本考案によるときは、農園芸用の栽培空間（ビニールトンネルやビニールハウス等）を形成するフレームを構成する支柱に被せた樹脂シートを該支柱に固定するに際し、前記両摘み片を内向きに摘むことにより前記開口部を弾性的に拡開させることができ、この開口部を通して、前記樹脂シートを介在させて前記支柱を該筒状挾持部の内部空所に嵌め入れることができる。その後、両摘み片を自由状態に戻すことにより、該筒状挾持部が支柱を強固に挾持し、従って、上下の止着部材によって樹脂シートを支柱に確実に固定できることになる。そして、前記ビニールトンネル等の栽培空間に換気口を形成するために止着部材を支柱から取り外す際は、前記と同様に左右の摘み片を内向きに摘んで前記開口部を弾性的に拡開させることにより、該拡開した開口部を通して樹脂シートと支柱を筒状挾持部から容易に取り外すことができる。
かかることから本考案によるときは、ビニールトンネル等を構成する樹脂シートを損傷することなくこれを支柱に確実に固定することができながら、ビニールトンネル等に換気口を形成する場合等必要な際には、前記開口部を簡易に拡開させて前記樹脂シートを安全に取り外すことができる。従って本考案によるときは、従来のシート止着具を用いる場合とは異なり、筒状挾持部材を取り外す際に樹脂シートを損傷するといった問題を発生することがない。
【００１９】
(2) そして本考案に係るシート止着具は、上下の止着部材の内端相互を、後方向に突に屈曲された可撓性の突状連結片で連結する構成を採用するため、支柱側部分が湾曲している場合も、該突状連結片が変形することによって上下の筒状挾持部を支柱に無理なく確実に固定できることになる。又、樹脂シートの裾部分をたくし上げた状態を、該たくし上げシート部分を該突状連結片の凹部と前記支柱との間に形成された収容空間部に確実に収容して保持できる。かかることから、ビニールトンネルに換気口を確実に形成できると共に、該換気口を確実に保持させ得ることとなる。
【００２０】
(3) 前記突状連結片を、左右方向に偏平な平板を後方向に突の半円弧状に屈曲して形成すると共に、該突状連結片の端部が、その幅方向を前記筒状挾持部の両摘み片間の幅方向に合致させて該筒状挾持部の内端に連結されたものとし、又該筒状挾持部の、前記開口部の両側をなす側面部分の前記内端側の縁を傾斜縁として形成するときは、該突状連結片を板状に構成したことに伴う開口部の拡開の操作性を改善できると共に、支柱の嵌め入れに必要な開口幅を所要に確保でき、前記樹脂シートの損傷を招くことなく支柱を前記内部空所に嵌め入れるのが容易となる。
【００２１】
(4) 前記上の止着部材の両摘み片の上端に、斜め上方に突出する角状突出片を設けるときは、前記たくし上げシート部分を、左右に所要間隔を置いて配置された角状突出片と支柱との間に形成にされた受部で下方から安定的に支持できることになる。
従ってビニールトンネルに換気口を設ける際、上下の止着部材を一旦取り外した後、該上下の止着部材を再び支柱に取り付けてたくし上げシート部分を前記受部で下方から支持させることにより、ビニールトンネルの換気口をより大きく又はより小さく確保でき、その状態を保持できることになる。
又このように構成する場合、上下の止着部材を取り外すことなくそのままの状態で、たくし上げシート部分を該シート止着具を外側から覆うように持ち上げその上側部分を前記受部に支持させることもでき、これにより換気口を形成することもできる。このようにして換気口を形成する場合は、換気口の形成作業を簡易且つ能率的に行い得ることとなる。
前記角状突出片を柔軟性を有する四分割円弧状に構成するときは、たくし上げシート部分を前記受部で支持させる際に、該たくし上げシート部分を損傷しにくく、又その支持作業やその取り外し作業を容易化し得る。
【００２２】
(5) 前記突状連結片を、後方向に突に屈曲された２本の独立した線状連結片を以て構成し、その両端部を摘み片の内端に連結する構成を採用したときは、該突状連結片が障害となることなく前記開口部を無理なく拡開させることができる。
【００２３】
(6) 前記突状連結片の両端部分を二股に分岐した状態に形成すると共に各分岐片の端部を、両摘み片の内端に連結する構成を採用したときは、該突状連結片の中間部分をなす板状部分に、ロット番号等の所要の表記を明瞭に施すことができながら、該突状連結片がそれほど障害となることなく前記開口部を拡開させることができる。
この場合、前記板状部の両端側部分を、該板状部の内方に凹の湾曲縁として構成するときは、前記開口部の拡開をより円滑に行うことができる。
【図面の簡単な説明】
【００２４】
【図１】本考案に係るシート止着具を、ビニールトンネルを構成する支柱に被せた樹脂シートを該支柱に固定した使用状態で示す斜視図である。
【図２】樹脂シートの裾部分をたくし上げて、たくし上げシート部分を止着具で保持することによって換気口を形成した状態を示す斜視図である。
【図３】シート止着具による樹脂シートの固定状態と、たくし上げシート部分の保持状態を拡大して示す斜視図である。
【図４】ビニールトンネルを構成する樹脂シートを支柱に固定した状態を示す断面図である。
【図５】シート止着具を支柱と共に示す斜視図である。
【図６】シート止着具を示す斜視図である。
【図７】その断面図である。
【図８】シート止着具で樹脂シートを支柱に固定する作業工程を説明する断面図である。
【図９】たくし上げシート部分を収容空間部に収容する作業工程を説明する断面図である。
【図１０】シート止着具の受部でたくし上げシート部分を支持して、ビニールトンネルに換気口を形成した状態を示す斜視図である。
【図１１】受部でたくし上げシート部分を支持した状態を示す拡大斜視図である。
【図１２】その断面図である。
【図１３】たくし上げシート部分を受部で支持して、ビニールトンネルに換気口を形成する他の態様を示す斜視図である。
【図１４】たくし上げシート部分を受部で支持した状態を示す拡大斜視図である。
【図１５】その断面図である。
【図１６】樹脂シートを介在させて支柱を筒状挾持部に嵌め入れる作業工程を説明する説明図である。
【図１７】樹脂シートを介在させて支柱を筒状挾持部に嵌め入れる他の作業工程を説明する説明図である。
【図１８】たくし上げシート部分を収容空間部に収容した状態と、それを受部で支持した状態とを組み合わせることによって、ビニールトンネルに換気口を形成した状態を示す斜視図である。
【図１９】たくし上げシート部分を収容空間部に収容した状態と、それを受部で支持した状態とを組み合わせることによって、ビニールトンネルに換気口を形成したその他の状態を示す斜視図である。
【図２０】シート止着具の他の実施例を示す斜視図である。
【図２１】シート止着具のその他の実施例を示す斜視図である。
【図２２】図２０に示すシート止着具を用いてたくし上げシート部分を収容空間部に収容した状態を示す斜視図である。
【図２３】図２１に示すシート止着具を用いてたくし上げシート部分を収容空間部に収容した状態を示す斜視図である。
【図２４】図２０に示すシート止着具を用いてたくし上げシート部分を受部で支持した状態を示す斜視図である。
【図２５】図２１に示すシート止着具を用いてたくし上げシート部分を受部で支持した状態を示す斜視図である。
【図２６】角状突出片を具えないシート止着具をその使用状態で示す斜視図である。
【図２７】左右の摘み片を後方に直線状に平行状態で突設してなるシート止着具を示す断面図である。
【図２８】先端部が屈曲可能に形成された突状連結片で止着部材相互を連結してなるシート止着具を示す斜視図である。
【図２９】その使用状態を示す断面図である。
【図３０】直線状に形成された１本の突状連結片によって止着部材相互を連結してなるシート止着具を示す斜視図である。
【図３１】筒状挾持部に形成する傾斜縁の他の態様を示す側面図である。
【図３２】筒状挾持部に形成する傾斜縁のその他の態様を示す側面図である。
【図３３】従来のシート止着具を用いてビニールトンネルのたくし上げシート部分を保持して換気口を形成した状態を示す斜視図である。
【図３４】従来のシート止着具を示す斜視図である。
【図３５】そのシート止着具を用いてたくし上げシート部分を保持した状態を示す拡大斜視図である。
【図３６】そのシート止着具を用いて、たくし上げシート部分を保持した状態を示す断面図である。
【図３７】そのシート止着具を用いてたくし上げシート部分を保持する作業工程を説明する断面図である。
【図３８】そのシート止着具を支柱に直接取り付けた状態とする断面図である。
【考案を実施するための形態】
【実施例１】
【００２５】
図１〜４において本考案に係る農園芸用のシート止着具（以下シート止着具という）１は、フレーム２に樹脂シート３を被せてなる例えばビニールトンネル５ａとしての栽培空間５を形成するに際して、トンネル状のフレーム２ａを構成するアーチ状に屈曲した支柱６に被せたビニールシート等の該樹脂シート３を該支柱６に固定できると共に、図２〜３に示すように、該樹脂シート３の裾部分７をたくし上げた状態で該たくし上げシート部分９を収容状態に保持し得るものであり、上下一対の止着部材１０，１１の内端１２，１３相互が突状連結片１５で連結されてなる。
【００２６】
図５〜６は該シート止着具１を拡大して示すものである。該上下の止着部材１０，１１は、全体が例えばポリエチレン製の一体成型品であり、図５〜７、図８（Ｃ）に示すように、前記樹脂シート３を介在させて前記支柱６を弾性的に挾持し得る筒状挾持部１６を具え、該筒状挾持部１６は図５〜７に示すように、前端周面部が該筒状挾持部１６の中心を通る軸線方向に開口し開口部１７が弾性的に拡開し得る筒状（本実施例においては円筒状）を呈しており、横断面Ｃ字状をなしている。そして該開口部１７の両側縁部１９，１９（図７）は円弧状に形成され、図７に示すように、該開口部１７の開口幅Ｌ１は前記筒状挾持部１６の内径Ｌ２よりも小さく形成されている。本実施例においては、該筒状挾持部１６の長さは約４０ｍｍに設定されると共に、その内径Ｌ２は、例えば直径が８ｍｍの支柱に対応できるように、約７．５ｍｍに設定され、該開口部１７の幅Ｌ１は約３ｍｍに設定されている。
【００２７】
又図５〜７に示すように、前記筒状挾持部１６の対向する左右両側部２０，２０（図７）の外面に摘み片２１，２１が突設されている。該左右の摘み片２１，２１は、両者間の幅が後方に向けて拡大するハの字状を呈して突設されており、該摘み片２１，２１の外面２２には滑り止め突部２３が並設されている。本実施例において該摘み片２１，２１は、その前側部分２５は前記筒状挾持部１６の全長に亘って設けられると共に、その後側部分２６は該前側部分２５の後部の中央部分で後方に突出する如く設けられている。
【００２８】
該両摘み片２１，２１を内向きに摘むことにより、図８（Ａ）に示すように前記開口部１７を前記筒状挾持部１６の弾性に逆らって拡開でき、該拡開により、例えば図８（Ｂ）に示すように、前記支柱６を、前記樹脂シート３で覆われた状態で該筒状挾持部１６の内部空所２７に無理なく嵌入させることができる。
【００２９】
かかる構成を有する上下の止着部材１０，１１の内端１２，１３相互が、本実施例においては図５〜６、図９（Ｂ）に示すように、前記筒状挾持部１６の左右の摘み片２１，２１間の部分２９で、後方向に突の半円弧状に屈曲されて前側凹部３０を有する前記突状連結片１５で連結されてなる。該突状連結片１５の大きさは、図９（Ｂ）、図４、図３（Ａ）に示すように、上下の筒状挾持部１６，１６が前記支柱６を挾持した状態において、該突状連結片１５の前記凹部３０と前記支柱６との間で、前記たくし上げシート部分９を収容可能な収容空間部３１を形成できるように設定されており、本実施例においては、該突状連結片１５の半径は約１５ｍｍ程度に設定されており、その肉厚は２ｍｍ程度に設定されている。
【００３０】
本実施例においては、図５〜６に示すように、前記上の止着部材１０の左右の摘み片２１，２１の上端（本実施例においては前記前側部分２５，２５の上端）３２，３２に、前記筒状挾持部１６が前記支柱６を挾持した状態において該支柱６から離れる方向に斜め上方に突出する角状突出片３３，３３が設けられている。該角状突出片３３，３３は本実施例においては、横断面が円形の柔軟性を有する丸線を四分割円弧状に屈曲して形成されており、その先端３５，３５は、たくし上げシート部分９が引っ掛かるのを防止するために球面状に形成されている。そして、該筒状挾持部１６が前記支柱６を挾持した状態で、図１０〜１２や図１３〜１５に示すように、前記たくし上げシート部分９を、該角状突出片３３と前記支柱６との間に形成された円弧状を呈する受部３６で下方から支持できる。
【００３１】
本実施例においては、該突状連結片１５を、左右方向に偏平な平板を後方向に突の半円弧状に屈曲して形成すると共に、該突状連結片１５の端部３７，３７を、図５〜６に示すように、その幅方向を前記筒状挾持部１６の両摘み片２１，２１間の幅方向に合致させて該筒状挾持部１６の内端１２，１３に連結している。このように突状連結片１５を、平板を屈曲して形成しているのは、その屈曲形態を保持しやすくすると共に、該突状連結片１５の表面３９にロット番号等を明瞭に刻印等により表示できるように該表面３９の左右幅を極力大きくするためである。
【００３２】
それ故、両摘み片２１，２１を内向きに摘むことによって前記開口部１７を拡開させたときに、該両摘み片２１，２１間の内端部４０，４０（図５〜６）の剛性が高まって該内端部４０，４０側で開口部１７が開きにくくなる。そこで本実施例においては図６、図１６に示すように、前記筒状挾持部１６の開口部１７の両側をなす側面部分４１，４１を前記内端（連結部）１３側において内方に向けて、例えば比較的大きい円弧状に切除した形状として、該側面部分の前記内端側の縁を、傾斜縁（本実施例においては突の円弧状縁）４２，４２として形成している。比較のために示す図１７にあっては、かかる切除部が設けられていない場合における、筒状挾持部１６の側面部分４１の内端縁４５が、筒状挾持部１６の軸線方向と直角を呈している。このように切除することにより、図１６（Ａ）（Ｃ）に示すように、前記樹脂シート３を介在させて支柱６を筒状挾持部１６の内部空所２７に無理なく嵌め入れることができるようになる。なお本実施例においては、前記樹脂シート３を介在させて前記支柱６を前記内部空所２７に嵌め入れる際に、該樹脂シート３を損傷することなく内部空所２７への支柱６の嵌め入れを円滑化するため、前記開口部１７の両側の側面部分４１，４１の外端縁４６，４６を若干円弧状に形成している。
【００３３】
これによって、突状連結片１５の連結部１３側においても開口部１７ａの幅Ｌ３が比較的大きく開いた状態が得られる。もしも図１７に示すように、かかる切除部が設けられていないとすれば、図１７（Ｂ）に示すように、該開口部１７の開口幅Ｌ４が連結部１３側（内端側の部分）４７において小さくなり、該連結部１３側においては、図１７（Ａ）に矢印で示すように、支柱部分６ａを押圧して内部空所２７内に押し込まなければならないことにもなり、筒状挾持部１６の内部空所２７内への支柱６の嵌め入れを円滑に行いにくくなって好ましくない。
【００３４】
図１は、前記構成を有するシート止着具１の使用例を示すものであり、農園芸用の前記ビニールトンネル５ａを形成するに際してトンネル状のフレーム２ａを構成する支柱６に被せた樹脂シート３を該支柱６に固定する場合を示す。
【００３５】
該トンネル状のフレーム２ａは、下端が開放して倒Ｕ字状に屈曲された前記支柱６を一方向に所要間隔（例えば７０ｃｍ程度の間隔）で並設して構成されており、各支柱６は、図１、図４に示すように、その両下端部分４９，４９が地面５０に突き刺されて立設されている。かかる構成を有するトンネル状のフレーム２ａに、例えばビニールシートとしての樹脂シート３を被せて後、該樹脂シート３の両側の裾部分７，７を地面に埋設状態とする。この状態で樹脂シート３を支柱６に固定するに際して、前記シート止着具１が用いられる。
【００３６】
その固定要領は、上下の筒状挾持部１６を、前記樹脂シート３を介在させて前記支柱６に固定して行なうのであるが、その際、前記左右の摘み片２１，２１を図８（Ａ）に示すように内向きに指で摘むことによって前記開口部１７を弾性的に拡開状態とする。この拡開は、該左右の摘み片２１，２１を構成する前記後側部分２６，２６を、図５〜６に示すように、筒状挾持部１６の長さ方向の中央部分に設けているため、両摘み片２１，２１を内向きに摘んだ際における力を該筒状挾持部１６の長さ方向に略均一に作用させることができ、前記開口部１７を無理なく拡開させ得ることとなる。
【００３７】
その後、図８（Ｂ）に示すように、樹脂シート３が支柱６を包んだ状態となるようにして該支柱６の支柱側部分２４を筒状挾持部１６の内部空所２７に嵌め入れる。両摘み片２１，２１を内向きに摘むことによって前記開口部１７を大きく拡開できるため（前記傾斜縁４２が設けられているので、図１６に示すように、前記内端（連結部）１３側においても開口部１７が必要幅に拡開される）、これによって形成された内部空所２７への支柱６の嵌め入れを、樹脂シート３を損傷することなく容易且つ確実に行うことができる。
【００３８】
その後、両摘み片２１，２１から指を離せば、図８（Ｃ）に示すように、前記筒状挾持部１６はその弾性作用で当初の状態に戻る。これにより、該筒状挾持部１６が該支柱６を挾持した状態となり、その結果、図８（Ｃ）に示すように、樹脂シート３が上下の筒状挾持部１６，１６で支柱６に固定されることになる。例えば図４にＬ５で示すように、下の止着部材１１を、その下端５１が地面から１５ｃｍ程度上方に位置した状態で支柱６に固定する。
【００３９】
このように上下の筒状挾持部１６，１６を支柱６に取り付ける際、該支柱６のシート止着具取り付け部分（支柱側部分）２４が稍湾曲した状態にあるときにも、前記突状連結片１５が、その半円弧の形態が延びるように変形することにより、上下の筒状挾持部１６，１６を、支柱側部分２４の湾曲状態に追随させて無理なく支柱に取り付けることができる。
【００４０】
ビニールトンネル５ａの内部を換気するに際しては、換気口５３を形成する部分で、前記下の止着部材１１を、図９（Ａ）に示すように、その両摘み片２１，２１を内向きに摘んで前記開口部１７を弾性的に拡開させ（図８（Ｂ）に示すと同様の拡開状態）、下のシート止着具１１を支柱６から取り外す。その後、前記樹脂シート３の裾部分（例えば、地面上の１５ｃｍ程度の幅部分と、地面に埋設されている１５ｃｍ程度の幅部分をなす裾部分）７をたくし上げ、たくし上げシート部分９を、図９（Ａ）に示すように、前記突状連結片１５が形成する半円弧状の凹部３０に収容した状態で、該下の止着部材１１の左右の摘み片２１，２１を再び内向きに摘んで前記開口部１７を弾性的に拡開させ（図８（Ａ）に示すと同様の拡開状態）、前記支柱６を筒状挾持部１６の内部空所２７に嵌め入れる。この際、前記突状連結片１５がアーチ状に構成されていて変形容易であるため、該突状連結片１５の変形によって、該支柱６から取り外された前記下の止着部材１１を図９（Ａ）に示すように、外方に曲げることができ、従って、たくし上げシート部分９を凹部３０に収容する作業を容易化し得る。その後、両摘み片２１，２１を自由状態にすれば、図９（Ｂ）に示すように、該下の止着部材１１が支柱６に固定されることになる。そしてこの状態で前記たくし上げシート部分９が、前記突状連結片１５と前記支柱６との間に形成される収容空間部３１に収容されることになり、裾部分のたくし上げられた状態が保持される。この状態で、図２に示すように、ビニールトンネル５ａに換気口５３が形成されビニールトンネル５ａ内の換気を行い得ることとなる。
【００４１】
この換気を終えるときは、前記下の止着部材１１を、前記と同様にして両摘み片２１，２１を内向きに摘むことによって支柱６から取り外し、図９（Ａ）に示す状態と同様にして後、該たくし上げシート部分９を前記収容空間部３１から取り出し、これを下ろす。その後、図１、図４に示すと同様にして、ビニールトンネル５ａ内に寒気が侵入しないように内部を密閉する必要から樹脂シートの下端部分５５（図４）に土を被せて該下端部分５５が風で捲れ上がらないようにする。
【００４２】
図１０〜１２は、前記シート止着具１を用いて、前記たくし上げシート部分９を前記角状突出片３３と前記支柱６との間に形成された前記受部３６で支持した状態を示すものである。このように受部３６で支持するためには、上下の止着部材１０，１１を一旦支柱６から取り外した後に樹脂シート３の裾部分７をたくし上げ、その後、該上下の止着部材１０，１１を再び当初と略同位置で支柱６に固定し、この状態で、たくし上げシート部分９を前記受部３６で下方から支持させる。このようにすれば、樹脂シート３の裾部分をより上側までたくし上げてこの状態でたくし上げシート部分９を該受部３６で支持できることとなり、たくし上げシート部分９を前記収容空間部３１で収容状態に保持する場合に比し、ビニールトンネル５ａの換気口５３をより大きく確保できる利点がある（図２と図１０を対比）。或いは、前記上下の止着部材１０，１１を、当初よりも稍下置で支柱６に固定することもでき、このようにするときは、ビニールトンネル５ａの換気口５３をより小さく設定できる。このように、上下の止着部材１０，１１を一旦支柱６から取り外して後に再び支柱６に固定するときは、換気口５３の大きさを所要に調整できる利点がある。
【００４３】
図１３〜１５は、前記シート止着具１を用いて、前記たくし上げシート部分９を前記角状突出片３３と前記支柱６との間に形成された受部３６で支持した他の態様を示すものである。このようにして受部３６で支持するためには、図１５に示すように、上下の止着部材１０，１１が、樹脂シート３を介在させて支柱６に固定された状態のままで、シート止着具１を外側から覆うようにして前記樹脂シート３の裾部分７をたくし上げると共にたくし上げられた上端側の部分５６を該受部３６に嵌め入れ、該上端側の部分５６を前記受部３６で下方から支持させる。このようにしてたくし上げシート部分９を受部３６で支持するときは、前記下の止着部材１１を取り外さなくてもビニールトンネル５ａに換気口５３を作業能率よく形成できる利点がある。このような受部３６を利用するたくし上げシート部分９の支持は、無風乃至微風状態における場合や、短時間だけ換気する場合のような一時的な換気の場合等、たくし上げシート部分９が受部３６から外れる恐れがない場合に有効である。
【００４４】
そして前記角状突出片３３，３３は、前記筒状挾持部１６における、両摘み片２１，２１、２１，２１間の内端１２，１３（図５〜６）で突設されているのではなく、図５〜６に示すように、両摘み片２１，２１の上端３２，３２に連設されている。このように、該角状突出片３３と該摘み片２１とが一体化されているため、両摘み片２１，２１を内向きに摘むことによって前記開口部１７を拡開させる際、該筒状挾持部１６の拡開を阻害することがない。
【００４５】
図１８、図１９は、たくし上げシート部分９を前記収容空間部３１に収容した状態と、前記受部３６で支持した状態とを組み合わせることによってビニールトンネル５ａの換気口５３を形成した状態を示すものである。図１８に示すものは、収容空間部３１に収容することと、受部３６で支持することを交互に行った場合を示すものであり、図１９は、受部３６で支持することを幾つか続けた後に収容空間部３１で確実に収容保持した場合を示すものである。このように２種類を組み合わせる場合は、換気口５３を形成する作業を、前記収容空間部３１にたくし上げシート部分９を確実に保持させて行うことができながら、その中間においては、下の止着部材１１を取り外すことなく受部３６で簡易に、たくし上げシート部分９を支持できることになり、ビニールトンネル５ａの換気口５３の形成作業を確実に然も能率的に行うことができる。
【００４６】
図２０（Ａ）は、シート止着具１の他の実施例を示すものであり、前記突状連結片１５の両端部分５９，５９が二股に分岐されると共に該突状連結片１５の長さ方向の中央部分は板状部４４として形成されており、各分岐片６０，６０の先端部６１，６１が、上下一対の止着部材１０，１１の前記両摘み片２１，２１の夫々の前記前側部分２５，２５の内端６２，６２に連結されている。そして、前記板状部４４の両端側部分は、該板状部４４の内方に凹の湾曲縁４８，４８として形成されており、該湾曲縁４８の両端５４，５４に前記分岐片６０，６０の基端５８，５８が連結されている。このように構成するときは、該突状連結片１５の中央部分は板状部４４として形成されていても、両摘み片２１，２１を内向きに摘んだ際に、前記開口部１７をその内端側の部分においても比較的良好に拡開させることができる。そして、前記板状部４４の表面６５にロット番号等を明瞭に表示できる。なお、両摘み片２１，２１を内向きに摘んだ際に前記開口部１７をそれほど無理なく拡開させ得る限り、図２０（Ｂ）に示すように、前記板状部４４の両端縁６４を、湾曲させずに、該突状連結片１５の幅方向に直線を呈するものとして構成してもよい。
【００４７】
図２１は、前記突状連結片１５を、後方向に円弧状を呈して突に屈曲された２本の独立した線状連結片６６，６７を以て構成したシート止着具１を示すものであり、一方の線状連結片６６の両端部６９，７０が、上下に位置する左右何れか一側の摘み片２１ａの前記前側部分２５，２５の内端７１，７１に連結されると共に、他方の線状連結片６７の両端部７３，７５が、上下に位置する他側の摘み片２１ｂの前記前側部分２５，２５の内端７９，７９に連結されている。
【００４８】
このように構成するときは、突状連結片１５の両端部６９，７０、７３，７５が、前記のように筒状挾持部１６の拡開を阻害することがなく、両摘み片２１，２１を内向きに摘んで前記開口部１７を弾性的に拡開させる際、該開口部１７の拡開幅を各部略均一に形成できる。従って、図２０、図２１に示すシート止着具１にあっては、前記筒状挾持部１６に前記のような傾斜縁を設けていない。
【００４９】
図２２、図２３は、上下の筒状挾持部１６，１６が前記支柱６を挾持した状態で、突状連結片１５と前記支柱６との間に形成された収容空間部３１に樹脂シート３の裾部分７のたくし上げシート部分９を収容した状態を示すものである。又図２４、図２５は、前記受部３６でたくし上げシート部分９を下方から支持した状態を示すものである。
【実施例２】
【００５０】
本考案は、前記実施例で示したものに限定されるものでは決してなく、「実用新案登録請求の範囲」の記載内で種々の設計変更が可能であることはいうまでもない。その一例を挙げれば次のようである。
(1) 図２６は、前記のような角状突出片３３を具えないシート止着具１を示すものである。
【００５１】
(2) 前記左右の摘み片２１，２１は、これを内向きに摘むことによって前記開口部１７を所要に拡開させることができる限り、図２７に示すように、左右の摘み片２１，２１を、後方に直線状に平行状態で突設してもよい。このように構成するときは、多数のシート止着具１を纏めて梱包する際、梱包作業が容易となる。
【００５２】
(3) 図２８は、本考案に係るシート止着具１のその他の実施例を示すものであり、可撓性を有する突状連結片１５が、前記したようなアーチ状ではなく、先端部が屈曲可能な蝶番部８０として形成された三角形状に構成されている。このように構成したときも、該突状連結片１５の該蝶番部８０による変形容易性によって、前記支柱６から取り外された下の止着部材１１を図２９に一点鎖線で示すように、外方に大きく曲げることができ、従って、たくし上げシート部分９を収容空間部に収容する作業を容易化し得る。
【００５３】
(4) 前記筒状挾持部１６は、前記開口部１７が弾性的に拡開し得る筒状を呈するものであれば、必ずしも円筒状をなすものには特定されない。
【００５４】
(5) 前記角状突出片３３は、前記支柱６との間で、たくし上げシート部分９を下方から支持できる受部３６を形成できる限り、直線状や折れ線状等で上方に突出するように構成されてもよい。
【００５５】
(6) 図３０は、本考案に係るシート止着具１のその他の実施例を示すものであり、前記筒状挾持部１６の開口部１７の拡開を容易化するために、前記突状連結片１５を１本の直線状（例えば丸線状）に形成すると共にその端部８１，８１を前記筒状挾持部１６の前記左右の摘み片２１，２１間で該筒状挾持部の内端１２，１３に連結している。
【００５６】
(7) 前記支柱６は、５ｍｍ、８ｍｍ、１１ｍｍ、１３ｍｍ等の各種直径のものを使用することができ、この直径に合わせて、前記筒状挾持部１６の内径を、前記開口部１７を通して、前記樹脂シート３を介在させて前記支柱６を該筒状挾持部１６の内部空所２７に嵌め入れることができ、これによって該樹脂シート３を支柱６に固定できるように設定する。  
【００５７】
(8) 前記傾斜縁４２は、前記した突の円弧状縁として構成されることの他、図３１、図３２に示すように、傾斜した直線状縁として構成されることもある。
【００５８】
(9) 本考案に係るシート止着具１は、前記したビニールトンネルの他、ビニールハウス等の栽培空間全般を形成するために応用され得るものであり、支柱６は、垂直状態に立設されるものも含む。
【符号の説明】
【００５９】
１  シート止着具
２  フレーム
３  樹脂シート
５  栽培空間
６  支柱
７  樹脂シートの裾部分
９  たくし上げシート部分
１０  止着部材
１１  止着部材
１２  内端
１３  内端
１５  突状連結片
１６  筒状挾持部
１７  開口部
２１  摘み片
２７  内部空所
３０  凹部
３１  収容空間部
３２  摘み片の上端
３３  角状突設片
３６  受部
３７  突状連結片の端部
４２  傾斜縁
５３  換気口
６０  分岐片
６７  線状連結片
【図１】
0003167867.tif 000003
【図２】
0003167867.tif 000004
【図３】
0003167867.tif 000005
【図４】
0003167867.tif 000006
【図５】
0003167867.tif 000007
【図６】
0003167867.tif 000008
【図７】
0003167867.tif 000009
【図８】
0003167867.tif 000010
【図９】
0003167867.tif 000011
【図１０】
0003167867.tif 000012
【図１１】
0003167867.tif 000013
【図１２】
0003167867.tif 000014
【図１３】
0003167867.tif 000015
【図１４】
0003167867.tif 000016
【図１５】
0003167867.tif 000017
【図１６】
0003167867.tif 000018
【図１７】
0003167867.tif 000019
【図１８】
0003167867.tif 000020
【図１９】
0003167867.tif 000021
【図２０】
0003167867.tif 000022
【図２１】
0003167867.tif 000023
【図２２】
0003167867.tif 000024
【図２３】
0003167867.tif 000025
【図２４】
0003167867.tif 000026
【図２５】
0003167867.tif 000027
【図２６】
0003167867.tif 000028
【図２７】
0003167867.tif 000029
【図２８】
0003167867.tif 000030
【図２９】
0003167867.tif 000031
【図３０】
0003167867.tif 000032
【図３１】
0003167867.tif 000033
【図３２】
0003167867.tif 000034
【図３３】
0003167867.tif 000035
【図３４】
0003167867.tif 000036
【図３５】
0003167867.tif 000037
【図３６】
0003167867.tif 000038
【図３７】
0003167867.tif 000039
【図３８】
0003167867.tif 000040